(57)【要約】【課題】ユーザの操作性を向上させることができる画像形成装置を提供する。【解決手段】フロントカバー２０は、筐体３に対して閉じた閉位置と、開いた開位置とに揺動可能に筐体３に支持されている。ＭＰトレイ３０は、フロントカバー２０に形成された開口２７を覆う第１位置と、開口２７を開放する第２位置とに揺動可能に支持されている。フロントカバー２０が閉位置に配置された状態で、第１ロック位置に配置された第１ロック部材５０が第１解除位置に移動するのと連動して、第２ロック部材１００が第２ロック位置に揺動し、ＭＰトレイ３０が第１位置にロックされる。【選択図】図８
2015225330.tif 000002
【特許請求の範囲】
【請求項１】
用紙に画像を形成する画像形成部と、
前記画像形成部を収容する筐体と、
開口を有し、前記筐体に対して閉じた閉位置と前記筐体に対して開いた開位置とに揺動可能に前記筐体に支持されるカバー部材と、
前記カバー部材を前記閉位置にロックする第１ロック位置と、前記カバー部材のロックを解除する第１解除位置とに移動可能な第１ロック部材と、
前記開口を覆う第１位置と、前記開口を開放する第２位置とに揺動可能に支持されるトレイと、
前記トレイを前記第１位置にロックする第２ロック位置と、前記トレイのロックを解除する第２解除位置とに移動可能であって、前記第１ロック部材の前記第１解除位置への移動に連動して前記第２ロック位置に移動する第２ロック部材と、
を備えることを特徴とする画像形成装置。
【請求項２】
前記カバー部材が前記閉位置から前記開位置に向けて揺動されるとき、前記第２ロック部材は、前記第２ロック位置に維持されることを特徴とする請求項１に記載の画像形成装置。
【請求項３】
前記第２ロック部材を前記第２ロック位置に維持する維持部を備えることを特徴とする請求項２に記載の画像形成装置。
【請求項４】
前記維持部は、前記第１ロック部材を前記第１解除位置に維持することを特徴とする請求項３に記載の画像形成装置。
【請求項５】
前記第１ロック部材は、前記カバー部材に支持され前記第１ロック部材の移動と連動して移動可能な可動部を備え、
前記維持部は、前記第１ロック部材が前記第１ロック位置と前記第１解除位置とを移動する際に前記可動部をガイドするガイド溝により構成され、
前記ガイド溝には、前記第１ロック部材が前記第１解除位置に移動したときに前記可動部の移動を規制する規制部が備えられていることを特徴とする請求項４に記載の画像形成装置。
【請求項６】
前記筐体には、前記カバー部材が前記開位置から前記閉位置に向けて揺動されるときに前記維持部の第２ロック位置への維持を解除する解除部が備えられることを特徴とする請求項３から請求項５のいずれか一項に記載の画像形成装置。
【請求項７】
前記解除部は、弾性変形可能に構成され、
前記解除部は、前記第１解除位置に配置されている前記第１ロック部材に当接し、前記カバー部材が前記開位置から前記閉位置まで揺動されるときに、前記規制部の前記規制動作を解除して前記第１ロック部材を前記第１ロック位置まで移動させ、
前記第２ロック部材は、前記第１ロック部材が前記第１ロック位置まで移動するのと連動して前記第２解除位置まで移動することを特徴とする請求項６に記載の画像形成装置。
【請求項８】
前記カバー部材と前記トレイのどちらか一方に備えられる前記第２ロック部材は、
前記第２ロック位置と前記第２解除位置とに揺動可能な揺動部材と、
前記揺動部材が前記第２ロック位置に揺動するのと連動して前記カバー部材と前記トレイのどちらか一方と係合し、かつ前記揺動部材が前記第２解除位置に揺動するのと連動して前記カバー部材と前記トレイのどちらか一方との係合を解除する係合部材と、を備え、
前記第１ロック部材が前記第１解除位置に移動するのと連動して前記揺動部材が前記第２ロック位置に揺動することを特徴とする請求項１から請求項７のいずれか１項に記載の画像形成装置。
【請求項９】
前記揺動部材は、前記カバー部材に備えられた第１ギヤであり、
前記係合部材は、前記第１ギヤに備えられたフック部材であることを特徴とする請求項８に記載の画像形成装置。
【請求項１０】
前記第１ロック部材が前記第１解除位置に移動するのと連動して前記第１ギヤを前記第２ロック位置に揺動させる連動部材を備えることを特徴とする請求項９に記載の画像形成装置。
【請求項１１】
前記連動部材は、前記第１ロック部材に揺動可能に備えられ前記第１ギヤと噛み合う第２ギヤであることを特徴とする請求項１０に記載の画像形成装置。
【請求項１２】
前記揺動部材は、前記カバー部材に備えられた第１レバーであり、
前記係合部材は、前記第１レバーに備えられたフック部材であることを特徴とする請求項８に記載の画像形成装置。
【請求項１３】
前記第１ロック部材が前記第１解除位置に移動するのと連動して前記第１レバーを前記第２ロック位置に揺動させる連動部材を備えることを特徴とする請求項１２に記載の画像形成装置。
【請求項１４】
前記連動部材は、前記第１ロック部材に揺動可能に備えられ前記第１レバーと当接する第２レバーであることを特徴とする請求項１３に記載の画像形成装置。
【発明の詳細な説明】
【技術分野】
【０００１】
本発明は、画像形成装置に関する。
【背景技術】
【０００２】
従来のプリンタ等の画像形成装置として、用紙を保持する給紙トレイと、装置側部に備えられ装置本体から開放された状態で用紙を保持するマルチパーパストレイとを備える装置が知られている。以下では、マルチパーパストレイのことをＭＰトレイという。
【０００３】
例えば、特開２００６−３１５７９７号公報に記載された画像形成装置では、筐体の側部を覆い、筐体に対して開閉可能なカバー部材が備えられている。カバー部材には用紙を画像形成部に供給するための開口が備えられている。ＭＰトレイは、カバー部材の開口を覆う閉位置と開放する開位置とに開閉可能にカバー部材に支持されている。ＭＰトレイには、カバー部材と係合する弾性変形可能な係合部が備えられている。ＭＰトレイの係合部がカバー部材と係合することで、ＭＰトレイは閉位置に維持される。
【先行技術文献】
【特許文献】
【０００４】
【特許文献１】特開２００６−３１５７９７号公報
【発明の概要】
【発明が解決しようとする課題】
【０００５】
しかし、上記のような画像形成装置では、カバー部材を勢いよく開くと、係合部とカバー部材との係合が解除され、閉位置に配置されているＭＰトレイが開位置に向かって開いてしまうことがあった。このように、ユーザがＭＰトレイを開こうとしているとき以外にＭＰトレイが開いてしまうと、その都度ユーザがＭＰトレイを操作しなくてはならないため、手間がかかり、使い勝手が悪いといった問題点があった。
【０００６】
本発明は、上記の問題を解決するためになされたものであり、ユーザの操作性を向上させることができる画像形成装置を提供することを目的とする。
【課題を解決するための手段】
【０００７】
上記目的を達成するために、本発明の画像形成装置は、用紙に画像を形成する画像形成部と、画像形成部を収容する筐体と、開口を有し、筐体に対して閉じた閉位置と筐体に対して開いた開位置とに揺動可能に筐体に支持されるカバー部材と、カバー部材を閉位置にロックする第１ロック位置と、カバー部材のロックを解除する第１解除位置とに移動可能な第１ロック部材と、開口を覆う第１位置と、開口を開放する第２位置とに揺動可能に支持されるトレイと、トレイを第１位置にロックする第２ロック位置と、トレイのロックを解除する第２解除位置とに移動可能であって、第１ロック部材の第１解除位置への移動に連動して第２ロック位置に移動する第２ロック部材と、を備えることを特徴とする。
【０００８】
上記画像形成装置では、カバー部材が閉位置から開位置に向けて揺動されるとき、第２ロック部材は、第２ロック位置に維持される構成であってもよい。
【０００９】
上記画像形成装置では、第２ロック部材を第２ロック位置に維持する維持部を備える構成であってもよい。
【００１０】
上記画像形成装置では、維持部は、第１ロック部材を第１解除位置に維持する構成であってもよい。
【００１１】
上記画像形成装置では、第１ロック部材は、カバー部材に支持され第１ロック部材の移動と連動して移動可能な可動部を備え、維持部は、前記第１ロック部材が第１ロック位置と第１解除位置とを移動する際に可動部をガイドするガイド溝により構成され、ガイド溝には、第１ロック部材が第１解除位置に移動したときに可動部の移動を規制する規制部が備えられている構成であってもよい。
【００１２】
上記画像形成装置では、筐体には、カバー部材が開位置から閉位置に向けて揺動されるときに維持部の第２ロック位置への維持を解除する解除部が備えられる構成であってもよい。
【００１３】
上記画像形成装置では、解除部は、弾性変形可能に構成され、解除部は、第１解除位置に配置されている第１ロック部材に当接し、カバー部材が開位置から閉位置まで揺動されるときに、規制部の規制動作を解除して第１ロック部材を第１ロック位置まで移動させ、第２ロック部材は、第１ロック部材が第１ロック位置まで移動するのと連動して第２解除位置まで移動する構成であってもよい。
【００１４】
上記画像形成装置では、カバー部材とトレイのどちらか一方に備えられる第２ロック部材は、第２ロック位置と第２解除位置とに揺動可能な揺動部材と、揺動部材が第２ロック位置に揺動するのと連動してカバー部材とトレイのどちらか一方と係合し、かつ揺動部材が第２解除位置に揺動するのと連動してカバー部材とトレイのどちらか一方との係合を解除する係合部材と、を備え、第１ロック部材が第１解除位置に移動するのと連動して揺動部材が第２ロック位置に揺動する構成であってもよい。
【００１５】
上記画像形成装置では、揺動部材は、カバー部材に備えられた第１ギヤであり、係合部材は、第１ギヤに備えられたフック部材である構成であってもよい。
【００１６】
上記画像形成装置では、第１ロック部材が第１解除位置に移動するのと連動して第１ギヤを第２ロック位置に揺動させる連動部材を備える構成であってもよい。
【００１７】
上記画像形成装置では、連動部材は、第１ロック部材に揺動可能に備えられ第１ギヤと噛み合う第２ギヤである構成であってもよい。
【００１８】
上記画像形成装置では、揺動部材は、カバー部材に備えられた第１レバーであり、係合部材は、第１レバーに備えられたフック部材である構成であってもよい。
【００１９】
上記画像形成装置では、第１ロック部材が第１解除位置に移動するのと連動して第１レバーを第２ロック位置に揺動させる連動部材を備える構成であってもよい。
【００２０】
上記画像形成装置では、連動部材は、第１ロック部材に揺動可能に備えられ第１レバーと当接する第２レバーである構成であってもよい。
【発明の効果】
【００２１】
本発明によれば、第２ロック部材は、第１ロック部材の第１解除位置への移動に連動して第２ロック位置に移動し、トレイを第１位置にロックする。これにより、トレイが第１位置にロックされた状態でカバー部材を開くことができ、カバー部材を開く際にトレイが開いてしまうのを抑制できるので、ユーザの操作性を向上させることができる。
【図面の簡単な説明】
【００２２】
【図１】本実施形態に係る画像形成装置の構成を示す概略断面図である。
【図２】フロントカバーおよびＭＰトレイが閉じられたときの画像形成装置の構成を示す斜視図である。
【図３】フロントカバーが開かれたときの画像形成装置の構成を示す斜視図である。
【図４】ＭＰトレイが開かれたときの画像形成装置の構成を示す斜視図である。
【図５】フロントカバーおよびＭＰトレイが閉じられたときの画像形成装置の構成を示す正面図である。
【図６】押圧部が第１ロック位置に配置されたときの要部Ａ−Ａ断面図である。
【図７】押圧部が第１ロック位置に配置されたときの要部Ｂ−Ｂ断面図である。
【図８】押圧部が第１解除位置に配置されたときの要部Ａ−Ａ断面図である。
【図９】押圧部が第１解除位置に配置されたときの要部Ｂ−Ｂ断面図である。
【図１０】フロントカバーが開かれたときの要部Ａ−Ａ断面図である。
【図１１】他の実施形態における連動部材と揺動部材を説明する要部Ａ−Ａ断面図である。
【図１２】他の実施形態における連動部材と揺動部材を説明する要部Ｂ−Ｂ断面図である。
【発明を実施するための形態】
【００２３】
本発明を実施するための実施形態について図面を基に詳しく説明する。
【００２４】
画像形成装置１の全体構成を説明した後、本発明の特徴部分を詳しく説明する。以下の説明では、方向については、画像形成装置１を使用する際のユーザを基準にした方向で説明する。具体的には、図１において、紙面に向かって右側を「前」、左側を「後」、紙面に向かって上側を「上」、下側を「下」とする。また、紙面手前側を「左」、奥側を「右」とする。
【００２５】
図１は、本発明の実施形態における画像形成装置の一例を示す概略断面図である。図１に示すように、画像形成装置１は、略直方体状に形成される筐体３と、記録用紙やＯＨＰシート等の被記録媒体を保持する給紙トレイ１７と、給紙トレイ１７から給紙された用紙に画像を形成する画像形成部５と、を備える。筐体３は、給紙トレイ１７および画像形成部５を収容する。以下では、記録用紙やＯＨＰシート等の被記録媒体のことを単に用紙という。
【００２６】
筐体３の上面には、排紙された用紙を保持する印刷物保持部３Ｂが形成される。また筐体３の前面には、カバー部材の一例としてのフロントカバー２０が筐体３に対して開閉可能に設けられている。フロントカバー２０には、用紙を挿入するための略矩形状に開口する開口２７が形成されている。
【００２７】
フロントカバー２０の前方には、フロントカバー２０の前面と開口２７とを覆うマルチパーパストレイ３０が筐体３に対して開閉可能に設けられている。
【００２８】
画像形成部５は、用紙に現像剤像を転写することにより、用紙に画像を形成する。この画像形成部５は、プロセスカートリッジ７、露光装置９及び定着器１１等から構成されている。
【００２９】
プロセスカートリッジ７は、トナーを収容するトナー収容器７Ｂ、トナー像が担持される感光ドラム８、感光ドラム８を帯電させる帯電器８Ａ、感光ドラム８にトナー像を供給する現像ローラ７Ａ、感光ドラム８に形成されたトナー像を用紙に転写する転写ローラ１３等から構成されている。
【００３０】
定着器１１は、図示せぬ熱源により加熱される加熱ローラ１１Ａと、加熱ローラ１１Ａに対向して配置され加熱ローラ１１Ａに対して圧接する加圧ローラ１１Ｂとから構成されている。
【００３１】
給紙トレイ１７は、筐体３に対して着脱可能に装着されている。給紙トレイ１７に保持された用紙は、給紙トレイ１７よりも用紙搬送方向下流側に設けられた第１給紙部１５により、画像形成部５に向けて給紙される。第１給紙部１５により給紙された用紙は、第１給紙部１５よりも用紙搬送方向下流側に設けられた第１搬送部１６により画像形成部５まで搬送される。
【００３２】
また、トレイの一例としてのＭＰトレイ３０は、フロントカバー２０の前面と開口２７とを開放した状態で用紙を保持する。ＭＰトレイ３０に保持された用紙は、ＭＰトレイ３０よりも用紙搬送方向下流側に設けられた第２給紙部１９により、画像形成部５に向けて給紙される。第２給紙部１９により給紙された用紙は、第２給紙部１９よりも用紙搬送方向下流側に設けられた第２搬送部１８により画像形成部５まで搬送される。
【００３３】
給紙トレイ１７もしくはＭＰトレイ３０に保持された用紙が画像形成部５まで搬送されると、画像データに基づいて用紙に画像が転写される。
【００３４】
画像形成部５において、回転する感光ドラム８の表面は、帯電器８Ａによって一様に帯電された後、露光装置９から発せられるレーザービームの高速走査により露光される。感光ドラム８の表面の露光された部分の電位が下がることで、感光ドラム８の表面に画像データに基づく静電潜像が形成される。
【００３５】
その後、トナー収容器７Ｂ内のトナーが、現像ローラ７Ａによって感光ドラム８に供給され、感光ドラム８の表面にトナー像が形成される。そして、感光ドラム８と転写ローラ１３との間まで用紙が搬送されると、転写ローラ１３が用紙にトナー像を転写する。
【００３６】
トナー像が転写された用紙は、定着器１１まで搬送され、加熱ローラ１１Ａと加圧ローラ１１Ｂとの間を通過することで、転写されたトナー像が熱により用紙上に定着される。その後、トナー像が定着された用紙は、排紙ローラ対３Ａにより印刷物保持部３Ｂに排紙される。なお、本実施形態では電子写真方式の画像形成部を採用しているが、インクジェット方式等であってもよい。
【００３７】
フロントカバー２０は、図示せぬカバー軸を揺動中心として、図２に示すように筐体３に対して閉じた閉位置と、図３に示すように開いた開位置とに揺動可能に筐体３に支持されている。
【００３８】
図４に示すように、フロントカバー２０には、ＭＰトレイ３０と左右方向から係合するトレイ被係合部１６０が備えられている。トレイ被係合部１６０は、ＭＰトレイ３０に備えられる後述するトレイ係合部１５０と係合する。
【００３９】
図５に示すように、フロントカバー２０には、フロントカバー２０の前面上部から後方に凹む凹部４０が形成されている。凹部４０は、ユーザがＭＰトレイ３０を開く際に、ユーザの指が挿入される。
【００４０】
図３に示すように、フロントカバー２０の上面における左右方向中央部には、略矩形状にフロントカバー２０を貫通する貫通孔２８が形成されている。
【００４１】
貫通孔２８には、フロントカバー２０を閉位置にロックし、かつ、このロックを解除することが可能な第１ロック部材５０が配置されている。
【００４２】
図６に示すように、第１ロック部材５０は、押圧部５１と第１係合部５２とを有している。図６は、画像形成装置１のＡ−Ａ断面における要部断面図である。Ａ−Ａ断面は、第１係合部５２の位置における断面である。
【００４３】
第１ロック部材５０は、図示せぬ揺動軸がフロントカバー２０に軸支されている。第１ロック部材５０は、揺動軸を中心にフロントカバー２０に対して揺動可能となっている。
【００４４】
押圧部５１は、上面視略矩形状に形成され、貫通孔２８の位置に配置される。押圧部５１は、貫通孔２８を介してフロントカバー２０の外に露出しており、ユーザにより上方から押圧される部分である。
【００４５】
第１係合部５２は、第１ロック部材５０の後端部に形成されている。第１係合部５２は、図３および図６に示すように、第１ロック部材５０の後端部から上方に延出するように左右方向に隣接して２つ形成されている。第１係合部５２は、筐体３の上方前端部から下方に延出するように形成された係合受け部２１と係合するように形成されている。
【００４６】
図６、図８に示すように、第１ロック部材５０は、フロントカバー２０が閉位置に配置された状態で、第１係合部５２が係合受け部２１と係合する第１ロック位置と、第１係合部５２が下方に揺動し第１係合部５２と係合受け部２１との係合が解除される第１解除位置とに移動可能である。第１ロック部材５０が第１ロック位置に配置されている時フロントカバー２０は筐体３に対して閉位置にロックされ、第１ロック部材５０が第１解除位置に配置されるとロックが解除される。第１ロック部材５０は、押圧部５１が上方から押圧を受けると、第１ロック位置から第１解除位置まで移動する。
【００４７】
図７に示すように、第１ロック部材５０には、第１ロック部材５０から左右方向にそれぞれ突出する、可動部の一例としての凸部５３が備えられている。図７は、画像形成装置１のＢ−Ｂ断面における要部断面図である。Ｂ−Ｂ断面は、凸部５３の右側端部の位置における断面である。
【００４８】
凸部５３は、第１ロック部材５０の第１ロック位置と第１解除位置への移動に連動して略上下方向に移動する。フロントカバー２０には、フロントカバー２０から下方に延出し凸部５３を移動可能に支持する軸受２２が形成されている。
【００４９】
軸受２２は、略矩形状に形成され、軸受２２の下端部には、維持部の一例としてのガイド溝２３が形成されている。ガイド溝２３は、第１ロック部材５０が第１ロック位置と第１解除位置とを移動する際に凸部５３を略上下方向にガイドするガイド部２４と、ガイド部２４の下方にて凸部５３の移動を規制する規制部２５とを有する。
【００５０】
ガイド部２４は、略上下方向に延びる略長穴状に形成され、第１ロック部材５０が第１ロック位置から第１解除位置に移動する際に凸部５３を略上下方向にガイドする溝である。
【００５１】
凸部５３は、第１ロック部材５０が第１ロック位置に配置されるときには、ガイド部２４の上端に配置され、第１ロック部材５０が第１解除位置に配置されるときには、ガイド部２４の下端に配置される。
【００５２】
規制部２５は、ガイド部２４の略前後方向で対向する一対の縁からそれぞれガイド部２４の内側に向けて突出するように形成されている。規制部２５は、ガイド部２４の下端近傍に形成され、凸部５３がガイド部２４の下端に配置されたときに、凸部５３に当接し凸部５３の上方への移動を規制する。
【００５３】
図６に示すように、係合受け部２１後方には、筐体３から略下方に突出する突出壁２９が形成されている。突出壁２９には、第１解除位置に配置された第１ロック部材５０に当接して第１ロック部材５０を第１ロック位置まで移動させる解除部６０が備えられている。解除部６０は、弾性板６１と、揺動軸６２と、バネ部材６３とを有している。
【００５４】
弾性板６１は、左右方向に延びる略矩形状に形成された樹脂部材であり、弾性変形可能となっている。弾性板６１は、図７に示すように、左右方向両端部において左右方向にそれぞれ延びる揺動軸６２を有しており、揺動軸６２が筐体３に軸支されることで揺動可能となっている。弾性板６１は、第１ロック部材５０が第１ロック位置に配置され第１ロック部材５０による押圧を受けない非押圧位置と、第１ロック部材５０による押圧を受けて非押圧位置より下方に変位した押圧位置とに揺動可能である。弾性板６１は、バネ部材６３により斜め上方に付勢されている。
【００５５】
フロントカバー２０が閉位置に配置され、かつ第１ロック部材５０が第１ロック位置に配置されるとき、第１ロック部材５０の凸部５３は、ガイド部２４の上端に配置され、また弾性板６１は、非押圧位置に配置されている。
【００５６】
フロントカバー２０が閉位置に配置された状態において、押圧部５１が上方から押圧を受けると、第１ロック位置に配置されている第１ロック部材５０は、第１解除位置に向かって移動する。
【００５７】
このとき、第１ロック部材５０が第１解除位置に移動するのに伴って、ガイド部２４の上端に配置されている凸部５３がガイド部２４に沿って下方に移動する。
【００５８】
第１ロック部材５０が第１解除位置まで移動すると、凸部５３は、図９に示すように、ガイド部２４の下端まで移動する。このとき、凸部５３は、規制部２５によって上方への移動が規制される。これにより、押圧部５１への押圧が解除された後も第１ロック部材５０を第１解除位置に維持することができる。
【００５９】
以下に、ＭＰトレイ３０の構成について詳しく説明する。ＭＰトレイ３０は、略矩形状に形成され、フロントカバー２０の開口２７を覆う第１位置と、開口２７を開放する第２位置とに揺動可能にフロントカバー２０に支持されている。図４に示すように、ＭＰトレイ３０を第２位置まで揺動させると、ＭＰトレイ３０は閉位置に配置されるフロントカバー２０から斜め上方に延出するように配置される。
【００６０】
ＭＰトレイ３０の左右方向両端部には、ＭＰトレイ３０に直交してＭＰトレイ３０から延出し、樹脂により形成されるトレイ係合部１５０が備えられている。トレイ係合部１５０は、略左右方向に弾性変形可能となっており、トレイ被係合部１６０と係合する。
【００６１】
トレイ係合部１５０は、ＭＰトレイ３０が第１位置に閉じられる際に、略左右方向に弾性変形してトレイ被係合部１６０と係合することで、ＭＰトレイ３０を第１位置に保持する。
【００６２】
図６に示すように、ＭＰトレイ３０の後方には、ＭＰトレイ３０に連続して後方に延出し、後述するフック部材１０３に上方から当接される被当接部３１が形成されている。また被当接部３１に連続して上方に延出し、フック部材１０３が係合するフック受け部３２が形成されている。ＭＰトレイ３０の上端部には、ユーザがＭＰトレイ３０を開く際に指を掛けるための取っ手部３３が形成されている。取っ手部３３は、ＭＰトレイ３０から連続して上方に延出するように形成され、被当接部３１およびフック受け部３２と一体に成形されている。
【００６３】
＜実施形態１＞
実施形態１での、ＭＰトレイ３０を第１位置にロックするＭＰトレイロック機構の構成について詳しく説明する。ＭＰトレイロック機構は、連動部材の一例としての第２ギヤ１０４と、第２ロック部材１００とにより構成される。
【００６４】
第２ギヤ１０４は、第１ロック部材５０と一体に第１ロック部材５０の前端部に形成された樹脂製のギヤである。第２ギヤ１０４は、第１ロック部材５０の揺動中心を中心として第１ロック部材５０と連動して揺動する。
【００６５】
第２ロック部材１００は、第２ギヤ１０４の下方に備えられている。第２ロック部材１００は、揺動部材の一例としての第１ギヤ１０１と、係合部材の一例としてのフック部材１０３とを有する。
【００６６】
第１ギヤ１０１は、第２ギヤ１０４の下方において第２ギヤ１０４と噛み合っている。第１ギヤ１０１は、左右方向両端部から左右方向にそれぞれ延びるギヤ軸１０２を有しており、ギヤ軸１０２がフロントカバー２０により軸支されている。第１ギヤ１０１は、このギヤ軸１０２を揺動中心として揺動可能となっている。第１ギヤ１０１の前端部には、第１ギヤ１０１から前方に延出するフック部材１０３が形成されている。
【００６７】
第１ギヤ１０１は、ＭＰトレイ３０が第１位置に配置された状態において、図６に示すようにフック部材１０３がフック受け部３２と係合可能な位置であってＭＰトレイ３０を第１位置にロックする第２ロック位置と、図８に示すようにフック部材１０３がフック受け部３２と係合しない位置であってＭＰトレイ３０のロックを解除する第２解除位置とに揺動可能である。
【００６８】
第２ロック部材１００は、第１ロック部材５０の第１解除位置への移動に連動して第２ロック位置に移動し、第１ロック部材５０の第１ロック位置への移動に連動して第２解除位置に移動する。
【００６９】
以下に、実施形態１におけるＭＰトレイロック機構の動作について、詳しく説明する。ここでは、フロントカバー２０を開く際におけるＭＰトレイロック機構の動作について言及する。
【００７０】
図６に示すようにフロントカバー２０が閉位置に配置された状態において、第１ロック位置に配置された押圧部５１が上方から押圧を受けると、第１ロック部材５０は、非押圧位置に配置されている弾性板６１を下方へ押圧しながら、第１解除位置に向かって移動する。このとき、第１ロック部材５０が第１ロック位置から第１解除位置に移動するのと連動して、第２ギヤ１０４が右側から見て時計回りに揺動する。
【００７１】
この第２ギヤ１０４の揺動に連動して、第２解除位置に配置されている第１ギヤ１０１は、第２ロック位置に向けて反時計回りに揺動する。つまり、第１ロック部材５０が第１解除位置に移動するのと連動して、第１ギヤ１０１は、第２ロック位置に揺動する。
【００７２】
第１ギヤ１０１が第２ロック位置まで揺動すると、第１ギヤ１０１の第２ロック位置への揺動と連動してフック部材１０３が被当接部３１に当接し、かつフック部材１０３とフック受け部３２とが係合され、ＭＰトレイ３０が第１位置にロックされる。つまり、第１ロック部材５０の第１ロック位置から第１解除位置への移動に連動して、フック部材１０３とフック受け部３２とが係合され、ＭＰトレイ３０が第１位置にロックされる。
【００７３】
第１ロック部材５０が第１ロック位置から第１解除位置に移動すると、ガイド部２４の上端に配置されていた凸部５３がガイド部２４の下端まで移動する。
【００７４】
ガイド部２４の下端に移動された凸部５３は、規制部２５により上方への移動が規制されるので、第１ロック部材５０が第１解除位置に維持される。このように、第１ロック部材５０が規制部２５により第１解除位置に維持されるので、押圧部５１への押圧が解除されてもフック部材１０３とフック受け部３２とが係合された状態を維持することができる。つまり、押圧部５１への押圧が解除されても、第２ロック部材１００は第２ロック位置に維持され、ＭＰトレイ３０を第１位置にロックした状態を維持することができる。
【００７５】
第１位置に配置されている第１ロック部材５０を第１解除位置まで移動させ、閉位置に配置されるフロントカバー２０を開位置に向かって揺動させると、規制部２５により第１ロック部材５０が第１解除位置に維持されたまま、つまり、第２ロック部材１００が第２ロック位置に維持されたまま、フロントカバー２０が揺動し始める。
【００７６】
フロントカバー２０を開位置に向かって所定の位置まで揺動させると、弾性板６１に加わる第１ロック部材５０による押圧が解除され、弾性板６１は、押圧位置から非押圧位置までバネ部材６３によって押し戻される。
【００７７】
さらにフロントカバー２０を開位置に向かって揺動させると、ＭＰトレイ３０が第１位置にロックされた状態を維持したまま、フロントカバー２０が開位置に配置される。このように、ＭＰトレイ３０を第１位置にロックした状態を維持したままフロントカバー２０を開くことができ、フロントカバー２０を開く際にＭＰトレイ３０が開いてしまうのを抑制できるので、ユーザの操作性を向上させることができる。
【００７８】
また、押圧部５１への押圧が解除されても第１ロック部材５０が第１解除位置に維持されるので、フロントカバー２０を開く際に押圧部５１を押圧し続けなくてもＭＰトレイ３０が第１位置にロックされた状態を維持できる。よって、押圧部５１を押圧したままフロントカバー２０を開く必要がなく、フロントカバー２０を開く際の操作を単純化することができるので、ユーザの操作性を向上させることができる。
【００７９】
さらに、ＭＰトレイ３０を第１位置にロックした状態を維持したままフロントカバー２０を開くことができるので、トレイ係合部１５０の係合力は、フロントカバー２０が閉位置に配置されるときにＭＰトレイ３０を第１位置に保持するのに必要な最小限の大きさで済む。よって、トレイ係合部１５０の係合力が小さくて済み、ＭＰトレイ３０を開くのに要する力を小さくすることができるので、ユーザの操作性を向上させることができる。
【００８０】
以下に、実施形態１におけるＭＰトレイロック機構の動作について、詳しく説明する。ここでは、フロントカバー２０を閉じる際におけるＭＰトレイロック機構の動作について言及する。
【００８１】
開位置に配置されたフロントカバー２０を閉位置に向かって揺動させると、フック部材１０３とフック受け部３２とが係合した状態を維持したまま、つまりＭＰトレイ３０が第１位置にロックされた状態を維持したまま、フロントカバー２０は揺動する。
【００８２】
閉位置に向かって所定の位置までフロントカバー２０を揺動させると、第１解除位置に配置されている第１ロック部材５０と非押圧位置に配置されている弾性板６１とが当接し始める。
【００８３】
さらにフロントカバー２０を閉位置に向かって揺動させると、非押圧位置に配置されている弾性板６１は、第１解除位置に配置されている第１ロック部材５０に当接し、第１ロック部材５０により押圧を受け、押圧位置に向かって揺動する。このとき、弾性板６１は、バネ部材６３により上方へ付勢されているので、第１解除位置に配置されている第１ロック部材５０には、バネ部材６３による上方への弾性力が働く。
【００８４】
凸部５３が弾性板６１から受ける上方への弾性力は、凸部５３が規制部２５を乗り越えるために必要な力よりも大きくなるように設定されている。そのため、フロントカバー２０を閉位置まで揺動させると、凸部５３が規制部２５を乗り越え、ガイド部２４の上端まで移動させられる。つまり、弾性板６１は、フロントカバー２０が開位置から閉位置まで揺動されるときに、凸部５３の移動の規制を解除する。
【００８５】
凸部５３がガイド部２４の上端まで移動すると、第１解除位置に配置されていた第１ロック部材５０が第１ロック位置に配置され、フロントカバー２０が閉位置にロックされる。
【００８６】
弾性板６１により、第１ロック部材５０が第１ロック位置まで移動させられるのと連動して、第２ギヤ１０４が反時計回りに揺動する。そして、第２ギヤ１０４が揺動するのと連動して、第２ロック位置に配置されている第１ギヤ１０１が第２解除位置に向けて時計回りに揺動し、第１ギヤ１０１の第２解除位置への揺動と連動してフック部材１０３とフック受け部３２との係合が解除される。
【００８７】
つまり、第１ロック部材５０の第１ロック位置への移動に連動して、第２ロック位置に配置されている第２ロック部材１００が第２解除位置まで揺動する。このようにして、ＭＰトレイ３０の第１位置へのロックが解除される。
【００８８】
本発明は、上記記述及び図面によって説明した実施形態１に限定されるものではなく、例えば次のような実施形態２も本発明の技術的範囲に含まれる。さらに、下記以外にも要旨を逸脱しない範囲内で種々変更して実施することができる。
【００８９】
＜実施形態２＞
実施形態１でのＭＰトレイロック機構においては、第１ロック部材５０の前端部から下方に連続して第２ギヤ１０４が形成され、さらに第２ギヤ１０４の下方に第１ギヤ１０１が形成される。しかし、これに限定されず、第１ロック部材５０の前端部から下方に連続して連動部材の一例としての第２レバー２０３が形成され、さらに第２レバー２０３の下方に第１レバー２００が形成される構成であってもよい。
【００９０】
実施形態２におけるＭＰトレイロック機構は、実施形態１におけるＭＰトレイロック機構の構成に対して第１ギヤ１０１および第２ギヤ１０４を変更したものであり、他の部分の構成は基本的に実施形態１と同じである。
【００９１】
実施形態２におけるＭＰトレイロック機構の説明においては、実施形態１と異なる構成についてのみ詳しく説明し、実施形態１と同様の構成については説明を省略する。
【００９２】
以下に、実施形態２におけるＭＰトレイロック機構の構成について、図を参照しながら説明する。図１１に示すように、第２レバー２０３は、第１ロック部材５０の前端部から下方に連続して形成されている。第２レバー２０３は、半円部材２０４と、第２突起部２０５とを有する。
【００９３】
半円部材２０４は、略半円状に形成された樹脂部材であり、第１ロック部材５０と一体に成形されている。第２突起部２０５は、半円部材２０４から略下方に突出するように形成された突起である。
【００９４】
第２レバー２０３の下方には、第２ロック部材１００が備えられている。第２ロック部材１００は、揺動部材の一例としての第１レバー２００と、係合部材の一例としてのフック部材１０３とを有する。第１レバー２００は、第２レバー２０３の下方に備えられ、基部２０１と、第１突起部２０２とを有する。
【００９５】
基部２０１は、上面視略矩形状に形成され、基部２０１の左右方向両端部から左右方向にそれぞれ延びる図示せぬレバー軸を有している。このレバー軸がフロントカバー２０により軸支されることで、レバー軸を中心として第１レバー２００が揺動可能となっている。実施形態２においては、レバー軸がフロントカバー２０により軸支されるが、これに限定されず、レバー軸がＭＰトレイ３０に軸支される構成であってもよい。
【００９６】
第１突起部２０２は、基部２０１から略上方に突出するように形成された突起であり、第２突起部２０５と当接している。基部２０１の前端部には、基部２０１から前方に延出するフック部材１０３が形成されている。
【００９７】
第１レバー２００は、ＭＰトレイ３０が第１位置に配置された状態において、第１ロック部材５０が第１解除位置に移動するのと連動してフック部材１０３とフック受け部３２とを係合させる第２ロック位置と、第１ロック部材５０が第１ロック位置に移動するのと連動してフック部材１０３とフック受け部３２との係合を解除する第２解除位置とに揺動可能である。第１レバー２００は、図示せぬ弾性部材によって付勢され、第２解除位置に維持されている。
【００９８】
以下に、フロントカバー２０を開く際の実施形態２におけるＭＰトレイロック機構の動作について説明する。フロントカバー２０が閉位置に配置された状態において、押圧部５１が上方から押圧を受けると、第１ロック位置に配置されている第１ロック部材５０が第１解除位置に移動する。
【００９９】
第１ロック部材５０が第１ロック位置から第１解除位置に移動するのと連動して第２レバー２０３が揺動し、第２突起部２０５が第１突起部２０２を前方に押圧しながら揺動する。
【０１００】
第１突起部２０２は、第２突起部２０５による前方への押圧を受け、第２突起部２０５が揺動するのと連動して前方に揺動し、第２解除位置に配置されている第１レバー２００は第２ロック位置に揺動する。つまり、第１ロック部材５０の第１ロック位置から第１解除位置への移動と連動して、図１２に示すように、第２レバー２０３は、第１レバー２００を第２ロック位置に揺動させる。
【０１０１】
そして、第１レバー２００が第２ロック位置まで揺動するのと連動して、フック部材１０３とフック受け部３２とが係合され、ＭＰトレイ３０が第１位置にロックされる。
【０１０２】
次に、フロントカバー２０を閉じる際の実施形態２におけるＭＰトレイロック機構の動作について説明する。開位置に配置されているフロントカバー２０が閉位置に配置されるのと連動して、第１解除位置に配置されている第１ロック部材５０は第１ロック位置まで移動する。
【０１０３】
第１ロック部材５０が第１ロック位置まで移動するのと連動して、第２レバー２０３が揺動し、第２突起部２０５が後方に揺動する。第１レバー２００は、第２解除位置に維持されるように図示せぬ弾性部材により付勢されているので、第２突起部２０５が後方に揺動するのと連動して第２ロック位置から第２解除位置に揺動する。
【０１０４】
このようにして、フロントカバー２０が閉位置に配置されるのと連動して、フック部材１０３とフック受け部３２との係合が解除され、ＭＰトレイ３０の第１位置へのロックが解除される。
【０１０５】
＜その他の実施形態＞
実施形態１および実施形態２において、第１ロック部材５０は、図示せぬ揺動軸を有し、この揺動軸がフロントカバー２０に軸支され、かつ凸部５３がフロントカバー２０に形成された軸受２２に支持される。しかし、これに限定されず、第１ロック部材５０の揺動軸が筐体３に軸支され、かつ凸部５３が筐体３に支持される構成であってもよい。
【０１０６】
実施形態１および実施形態２において、ＭＰトレイ３０は、フロントカバー２０に支持される。しかし、これに限定されず、ＭＰトレイ３０が筐体３に支持される構成であってもよい。
【０１０７】
実施形態１および実施形態２において、第１ギヤ１０１および第１レバー２００がフロントカバー２０に軸支され、かつフック部材１０３がＭＰトレイ３０に形成されたフック受け部３２と係合する。しかし、これに限定されず、第１ギヤ１０１および第１レバー２００がＭＰトレイ３０に軸支され、かつフック部材１０３がフロントカバー２０に形成されたフック受け部３２と係合する構成であってもよい。
【０１０８】
実施形態１および実施形態２において、連動部材の一例として、第２ギヤ１０４および第２レバー２０３を挙げたが、これに限定されず、連動部材はアーム等のリンク部材であってもよい。
【０１０９】
実施形態１および実施形態２において、維持部がフロントカバー２０に備えられるが、これに限定されず、維持部が第２ロック部材１００または連動部材に備えられる構成であってもよい。
【０１１０】
実施形態１および実施形態２において、第１ロック部材５０と第２ロック部材１００が揺動して移動する構成を示したが、本発明はこれに限定されず、押圧されることで上下、左右などにスライド移動する構成であってもよい。
【符号の説明】
【０１１１】
１        画像形成装置
３        筐体
２０      フロントカバー
２１      係合受け部
２２      軸受
２３      ガイド溝
２４      ガイド部
２５      規制部
２７      開口
２８      貫通孔
２９      突出壁
３０      ＭＰトレイ
３１      被当接部
３２      フック受け部
５０      第１ロック部材
５１      押圧部
５２      第１係合部
５３      凸部
６０      解除部
６１      弾性板
６２      揺動軸
６３      バネ部材
１００    第２ロック部材
１０１    第１ギヤ
１０２    ギヤ軸
１０３    フック部材
１０４    第２ギヤ
１５０    トレイ係合部
１６０    トレイ被係合部
２００    第１レバー
２０１    基部
２０２    第１突起部
２０３    第２レバー
２０４    半円部材
２０５    第２突起部
【図１】
2015225330.tif 000003
【図２】
2015225330.tif 000004
【図３】
2015225330.tif 000005
【図４】
2015225330.tif 000006
【図５】
2015225330.tif 000007
【図６】
2015225330.tif 000008
【図７】
2015225330.tif 000009
【図８】
2015225330.tif 000010
【図９】
2015225330.tif 000011
【図１０】
2015225330.tif 000012
【図１１】
2015225330.tif 000013
【図１２】
2015225330.tif 000014